(57)【特許請求の範囲】
【請求項１】
電池を収容する収納部が形成されたケースと、このケースの収納部を覆うと共に、端部に略Ｕ字状の係合爪が形成された蓋体と、操作体の操作によって電気的接離を行うスイッチ接点と、上記スイッチ接点の電気的接離に応じて、送信手段からリモコン信号を送信する制御手段からなり、上記蓋体の係合爪の表裏に対称に複数の係合凸部を設けると共に、これらの係合凸部をケースの内底部に係止したリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器においては、電池を収容したリモコン送信機を用いて、機器から離れた箇所から、機器の様々な機能の遠隔操作を行うものが増えている。
【０００３】
このような従来のリモコン送信機について、図５〜図７を用いて説明する。
【０００４】
図５は従来のリモコン送信機の断面図、図６は同分解斜視図であり、同図において、１は略箱型で絶縁樹脂製のケースで、上面には略円弧状に窪んだ収納部１Ａが形成されると共に、この収納部１Ａ内に複数の電池２が並列に収容されている。
【０００５】
そして、３は略板状で絶縁樹脂製の蓋体で、この蓋体３の右端がケース１の収納部１Ａ右端に係止されると共に、左端には略Ｕ字状の係合爪３Ａが形成され、この係合爪３Ａ両端の表側に設けられた複数の係合凸部３Ｂが、ケース１の内底部に弾接係止されて、ケース１の収納部１Ａを蓋体３が覆っている。
【０００６】
また、４はゴム等の操作体で、操作体４には上方の略ドーム状の薄肉部によって、各々連結形成された複数の操作部４Ａが設けられると共に、この操作部４Ａ上面にはカーボン等の可動接点（図示せず）が形成されている。
【０００７】
さらに、５は上下面に複数の配線パターン（図示せず）が形成された配線基板で、下面にはカーボン等の複数の固定接点（図示せず）が形成されると共に、この固定接点が操作部４Ａ上面の可動接点と所定の間隙を空けて対向して、複数のスイッチ接点６が形成されている。
【０００８】
そして、配線基板５の上下面には、発光ダイオード等のリモコン信号を送信する送信手段７や、マイコン等の制御手段８が形成され、この制御手段８に略コイル状の電極９を介して電池２が接続されると共に、複数の固定接点や送信手段７が配線パターンを介して制御手段８に電気的に接続されている。
【０００９】
また、１０は略箱型で絶縁樹脂製のカバーで、このカバー１０によってケース１下面が覆われると共に、カバー１０下面の複数の開口孔から、操作体４の複数の操作部４Ａが上下動可能に突出して、リモコン送信機が構成されている。
【００１０】
以上の構成において、このリモコン送信機を電子機器に向け、所定の操作部４Ａを押圧操作すると、操作部４Ａが略ドーム状の薄肉部を弾性変形させて上方へ移動し、これらの上面の可動接点が複数の固定接点と接触して、スイッチ接点６の電気的接離が行われ、この電気的接離に応じて制御手段８が、送信手段７から赤外線のリモコン信号を電子機器へ送信し、これによって例えば、電子機器の電源の入／切や音量の増減等が、遠隔操作によって行なわれる。
【００１１】
また、このようなリモコン送信機の電池交換を行う際には、図７（ａ）の断面図に示すように、蓋体３左端の係合爪３Ａ先端を、例えば親指の指先で右方向へ押圧し、略Ｕ字状の係合爪３Ａを撓ませて、表側の係合凸部３Ｂをケース１の内底部から外した後、図７（ｂ）に示すように、右端を支点として蓋体３を回動し、電池２の並んだ収納部１Ａを開けて、電池２の交換が行われる。
【００１２】
つまり、蓋体３左端の略Ｕ字状の係合爪３Ａの弾性変形を用い、操作体４を押圧操作してリモコン送信機を操作する際には、表側の係合凸部３Ｂをケース１の内底部に弾接係止することによって、蓋体３が閉じた状態を保持し、電池交換を行う際には、一本の指先で係合爪３Ａ先端を右方向へ押圧するという比較的簡易な操作で、係合爪３Ａを撓め係合凸部３Ｂをケース１内底部から外して、蓋体３を開くことが可能なように構成されているものであった。
【００１３】
なお、この出願の発明に関連する先行技術文献情報としては、例えば、特許文献１が知られている。
【特許文献１】特開２００５−３４７１９４号公報
【発明の開示】
【発明が解決しようとする課題】
【００１４】
しかしながら、上記従来のリモコン送信機においては、一本の指先で係合爪３Ａ先端を右方向へ押圧するという、比較的簡易な操作で蓋体３を開くことができるため、操作体４の押圧操作時に、誤って係合爪３Ａ先端を押圧してしまった場合や、リモコン送信機を手から落とし、係合爪３Ａが押圧された場合等に、蓋体３が外れ電池２の脱落が生じてしまい易いという課題があった。
【００１５】
本発明は、このような従来の課題を解決するものであり、蓋体の保持が確実で、かつ蓋体の開閉操作が容易なリモコン送信機を提供することを目的とする。
【課題を解決するための手段】
【００１６】
上記目的を達成するために本発明は、ケースの収納部を覆う蓋体端部の略Ｕ字状の係合爪の表裏に、対称に複数の係合凸部を設けると共に、これらの係合凸部をケースの内底部に係止してリモコン送信機を構成したものであり、係合爪の表裏に対称に形成された複数の係合凸部によって、蓋体がケースの内底部に係止されているため、小さな力で係合爪先端を押圧しただけでは、係合凸部がケース内底部から外れず、蓋体の保持を確実に行うことができると共に、電池交換のために蓋体を開く際には、係合爪先端を回転するだけで容易に蓋体の開閉操作を行うことが可能な、リモコン送信機を得ることができるという作用を有するものである。
【発明の効果】
【００１７】
以上のように本発明によれば、蓋体の保持が確実で、かつ蓋体の開閉操作が容易なリモコン送信機を実現できるという有利な効果が得られる。
【発明を実施するための最良の形態】
【００１８】
以下、本発明の実施の形態について、図１〜図４を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるリモコン送信機の断面図、図２は同分解斜視図であり、同図において、１１は略箱型でポリスチレンやＡＢＳ等の絶縁樹脂製のケースで、上面には略円弧状に窪んだ収納部１１Ａが形成され、この収納部１１Ａ内に複数の電池２が並列に収容されると共に、収納部１１Ａ左端のケース１１上面には下方へ略円弧状に窪んだ凹部１１Ｂが設けられている。
【００２１】
また、１３は略板状で絶縁樹脂製の蓋体で、この蓋体１３の右端がケース１１の収納部１１Ａ右端に係止され、左端にはケース１１の凹部１１Ｂと同様に下方へ略円弧状に窪んだ凹部１３Ａが形成されると共に、左方へ延出し略Ｕ字状に折曲された係合爪１４が設けられている。
【００２２】
そして、係合爪１４の表裏には対称な位置に複数の係合凸部１４Ａと１４Ｂが形成され、この係合凸部１４Ａと１４Ｂがケース１１内底部の係止部１１Ｃと１１Ｄに弾接係止されて、ケース１１の収納部１１Ａを蓋体１３が覆っている。
【００２３】
さらに、４はゴムやエラストマー等の操作体で、操作体４には上方の略ドーム状の薄肉部によって、各々連結形成された複数の操作部４Ａが設けられると共に、この操作部４Ａ上面にはカーボン等の可動接点（図示せず）が形成されている。
【００２４】
また、５は紙フェノールやガラス入りのエポキシ等の配線基板で、上下面に銅箔等によって複数の配線パターン（図示せず）が形成され、下面にはカーボン等の複数の固定接点（図示せず）が形成されると共に、この固定接点が操作部４Ａ上面の可動接点と所定の間隙を空けて対向して、複数のスイッチ接点６が形成されている。
【００２５】
そして、配線基板５の上下面には、発光ダイオード等のリモコン信号を送信する送信手段７や、マイコン等の制御手段８が形成され、この制御手段８に略コイル状の電極９を介して電池２が接続されると共に、複数の固定接点や送信手段７が配線パターンを介して制御手段８に電気的に接続されている。
【００２６】
さらに、１０は略箱型で絶縁樹脂製のカバーで、このカバー１０によってケース１１下面が覆われると共に、カバー１０下面の複数の開口孔から、操作体４の複数の操作部４Ａが上下動可能に突出して、リモコン送信機が構成されている。
【００２７】
以上の構成において、このリモコン送信機を電子機器に向け、所定の操作部４Ａを押圧操作すると、操作部４Ａが略ドーム状の薄肉部を弾性変形させて上方へ移動し、これらの上面の可動接点が複数の固定接点と接触して、スイッチ接点６の電気的接離が行われ、この電気的接離に応じて制御手段８が、送信手段７から赤外線のリモコン信号を電子機器へ送信し、これによって例えば、電子機器の電源の入／切や音量の増減等が、遠隔操作によって行なわれる。
【００２８】
また、このようなリモコン送信機の電池交換を行う際には、図３（ａ）の平面図に示すように、蓋体１３左端の係合爪１４先端を、例えば親指と人差指の二本の指でつまみ、例えば時計方向へ回転すると、図３（ｂ）に示すように、略Ｕ字状の係合爪１４が捩じられ撓んで、表裏の対称な係合凸部１４Ａと１４Ｂが、弾接係止されたケース１１内底部の係止部１１Ｃと１１Ｄから外れる。
【００２９】
そして、この後、図４の斜視図に示すように、係合爪１４先端を二本の指でつまみ捩じったまま、右端を支点として蓋体１３を上方へ回動し、電池２の並んだ収納部１１Ａを開けて、電池２の交換が行われる。
【００３０】
つまり、操作体４を押圧操作しリモコン送信機によって電子機器を遠隔操作する際には、蓋体１３左端の係合爪１４の表裏に対称に形成された係合凸部１４Ａと１４Ｂが、ケース１１内底部の係止部１１Ｃと１１Ｄに弾接係止されて、蓋体１３が閉じた状態に保持されているため、誤って係合爪１４先端に指先を引掛けた程度や、リモコン送信機を手から落とし係合爪１４に多少の力が加わった程度では、蓋体１３の外れや、これによる電池２の脱落が生じないように構成されている。
【００３１】
そして、電池交換を行う場合には、係合爪１４先端を二本の指でつまみ所定方向へ回転すると、略Ｕ字状の係合爪１４が捩じられ撓んで、これらの係合凸部１４Ａと１４Ｂがケース１１内底部の係止部１１Ｃと１１Ｄから外れるため、このまま右端を支点として蓋体１３を上方へ回動することで、蓋体１３を比較的容易に開くことができる。
【００３２】
すなわち、略Ｕ字状の係合爪１４の表裏に対称に複数の係合凸部１４Ａと１４Ｂを設け、これらをケース１１内底部の係止部１１Ｃと１１Ｄに弾接係止することによって、係合爪１４先端を二本の指でつまみ回転しないかぎりは、蓋体１３がケース１１から外れないようになっているため、蓋体１３がケース１１に確実に保持された状態で、通常の機器の遠隔操作等を行うことができると共に、電池交換の際には、回転するだけで比較的容易に蓋体１３の開閉操作を行うことが可能なようになっている。
【００３３】
また、係合爪１４を略Ｕ字状に形成することによって、直線状に形成した場合に比べ、係合爪１４全体の撓みを大きくすることができるため、係合凸部１４Ａと１４Ｂを係止部１１Ｃと１１Ｄに弾接係止する力を大きくし、蓋体１３の保持を確実に行うことができると共に、大きな捩じり量で係合爪１４を回転することが可能なように形成されている。
【００３４】
さらに、蓋体１３の左端、及びこれと隣接するケース１１上面には、各々下方へ略円弧状に窪んだ凹部１３Ａと１１Ｂが形成され、係合爪１４先端の周囲が円形状に下方へ窪んだ状態となっているため、上記のように蓋体１３を開く際に、係合爪１４先端を二本の指先でつまみ易いようになっており、蓋体１３の開閉操作をより容易に行えるように構成されている。
【００３５】
なお、電池交換の後、蓋体１３を再びケース１１に装着する際には、係合爪１４をつまんで捩じる必要はなく、右端を支点として蓋体１３を下方へ回動し、左端を上から押さえるだけで、係合爪１４が弾性変形して係合凸部１４Ａと１４Ｂが係止部１１Ｃと１１Ｄに弾接係止され、ケース１１への蓋体１３の装着を行うことができる。
【００３６】
このように本実施の形態によれば、ケース１１の収納部１１Ａを覆う蓋体１３端部の略Ｕ字状の係合爪１４の表裏に、対称に複数の係合凸部１４Ａと１４Ｂを設けると共に、これらをケース１１内底部の係止部１１Ｃと１１Ｄに係止することによって、多少の力では係合凸部１４Ａと１４Ｂが係止部１１Ｃと１１Ｄから外れず、蓋体１３の保持を確実に行うことができると共に、電池交換のために蓋体１３を開く際には、係合爪１４先端を回転するだけで容易に蓋体１３の開閉操作を行うことが可能な、リモコン送信機を得ることができるものである。
【００３７】
なお、以上の説明では、配線基板５下面の固定接点と、操作体４上面の可動接点によって、複数のスイッチ接点６を形成した構成について説明したが、略ドーム状で導電金属薄板製の可動接点を用いたものや、或いは配線基板５に複数の個別のプッシュスイッチを実装したもの等、様々なスイッチ接点を用いた構成においても、本発明の実施は可能である。
【産業上の利用可能性】
【００３８】
本発明によるリモコン送信機は、蓋体の保持が確実で、かつ蓋体の開閉操作が容易なものが得られ、主に各種電子機器の操作用として有用である。
【図面の簡単な説明】
【００３９】
【図１】本発明の一実施の形態によるリモコン送信機の断面図
【図２】同分解斜視図
【図３】同平面図
【図４】同斜視図
【図５】従来のリモコン送信機の断面図
【図６】同分解斜視図
【図７】同断面図
【符号の説明】
【００４０】
２  電池
４  操作体
４Ａ  操作部
５  配線基板
６  スイッチ接点
７  送信手段
８  制御手段
９  電極
１０  カバー
１１  ケース
１１Ａ  収納部
１１Ｂ  凹部
１１Ｃ、１１Ｄ  係止部
１３  蓋体
１３Ａ  凹部
１４  係合爪
１４Ａ、１４Ｂ  係合凸部
【図１】
0005018597.tif 000002
【図２】
0005018597.tif 000003
【図３】
0005018597.tif 000004
【図４】
0005018597.tif 000005
【図５】
0005018597.tif 000006
【図６】
0005018597.tif 000007
【図７】
0005018597.tif 000008